(57)【要約】【課題】簡単な構造で指示部の複雑な移動軌跡を描くことができ、意匠性を向上できる表示機構、この表示機構を備えた時計用ムーブメントおよび時計を提供する。【解決手段】時間経過を示すために用いられる指示部４２と、時間経過に応じて、指示部４２の移動速度を異ならせかつ、指示部４２を、表示領域１５の中心である第１軸Ｃ１に対して、接近又は離間する方向へ移動させる制御機構５０と、を備え、制御機構５０は、指示部４２が第１軸Ｃ１に対して接近する方向へ移動したときに描かれる移動軌跡と、指示部４２が第１軸Ｃ１に対して離間する方向へ移動したときに描かれる移動軌跡との間に、変曲点Ｐ１〜Ｐ８が形成されるように指示部４２を移動させることを特徴としている。【選択図】図６
2015007540.tif 000002
【特許請求の範囲】
【請求項１】
時間経過を示すために用いられる指示部と、
前記時間経過に応じて、前記指示部の移動速度を異ならせかつ、前記指示部を、表示部の中心に対して、接近又は離間する方向へ移動させる制御機構と、
を備え、
前記制御機構は、前記指示部が前記表示部の中心に対して接近する方向へ移動したときに描かれる移動軌跡と、前記指示部が前記表示部の中心に対して離間する方向へ移動したときに描かれる移動軌跡と、が連続するように前記指示部を移動させることを特徴とする表示機構。
【請求項２】
前記制御機構は、
第１軸周りに回転するカム部と、
前記カム部の回転方向とは反対方向に回転するカム従節ユニットと、
を備え、
前記カム従節ユニットは、
一端部に前記カム部に接する従節部が形成され、前記カム従節ユニットの回転にとも  なって回動しながら前記カム部の周りを回転するレバーと、
一端部に前記指示部が形成され、他端部が前記カム部の径方向の外側に位置する第２  軸周りに回動可能に支持され、前記カム従節ユニットの回転にともなって前記カム部の  周りを回転するポインタと、
を備え、
前記レバーの他端部と前記ポインタの他端部とは、動力伝達部を介して連結されていることを特徴とする請求項１に記載の表示機構。
【請求項３】
前記動力伝達部は、
前記ポインタの他端部に形成されたポインタ歯車と、
前記レバーの他端部に形成されたレバー歯車と、
により形成されていることを特徴とする請求項２に記載の表示機構。
【請求項４】
前記カム部は、該カム部の周方向の一方側から他方側に向かって半径が大きくなるように形成されたカム面を備えていることを特徴とする請求項２または３に記載の表示機構。
【請求項５】
前記カム部は、該カム部の周方向の一方側から他方側に向かって前記第１軸からの前記径方向に沿う距離が大きくなるように形成された溝部を備え、
前記レバーの前記従節部は、前記溝部に沿って移動可能な凸部により形成されていることを特徴とする請求項２または３に記載の表示機構。
【請求項６】
前記カム部と前記カム従節ユニットとは、前記第１軸周りに互いに反対方向に回転し、
前記カム部は、前記カム従節ユニットよりも高速回転することを特徴とする請求項４または５に記載の表示機構。
【請求項７】
前記カム部の回転速度は、前記カム従節ユニットの回転速度の３倍であることを特徴とする請求項６項に記載の表示機構。
【請求項８】
請求項１に記載の表示機構を備えたことを特徴とする時計用ムーブメント。
【請求項９】
請求項８に記載の時計用ムーブメントを備えたことを特徴とする時計。
【発明の詳細な説明】
【技術分野】
【０００１】
この発明は、表示機構、この表示機構を備えた時計用ムーブメントおよび時計に関するものである。
【背景技術】
【０００２】
腕時計等の機械式時計は、時刻を表示する機能に加えて、装飾品としての機能も有している。このため、従来から、例えば時針や分針、秒針、曜針等の指針による時刻や曜日等の情報の表示について、意匠性を向上させるために、特殊な表示機構を備えた機械式時計が知られている。
【０００３】
例えば、特許文献１には、回転軸に取付けられていて表示すべき値のインジケータを有する、予め選択された径路のアナログ表示装置（表示機構）であって、インジケータの自由端が回転軸まわりの回転に伴って予め選択された径路に従うように構成された、インジケータのための制御装置を有するアナログ表示装置が記載されている。
インジケータの制御装置は、回転軸に取り付けられたガイドアームに設けられた二つのピンに対して摺動する長手方向の溝を含むとともに、ガイドアームに連結されたアームに設けられたピンによってガイドされる横方向の溝を含む。
【０００４】
文字板上の針の移動軌跡は、ガイドアームに対するアームの回転速度および各溝の形状によって規定される。
具体的には、ガイドアームは１時間に１回転し、時計の時針に取り付けられる。アームは、時針によって動かされ、１時間に２回転するようになっている。また、複数のピンは、ガイドアームおよびアームに打ち込まれ、かつ針がガイドアームおよびアーム上に設置されて、第１の溝がガイドアームのピンによって位置決めされた状態で、第２の溝内にアームのピンが配置されるようになっている。このように、第１の溝を用いて針をガイドすることで、針が１時間に１回転する。そして、針の先端は、周方向に回転しつつ、アームに打ち込まれたピンにより径方向に移動させられることで、楕円形状の径路に沿って移動する。
【先行技術文献】
【特許文献】
【０００５】
【特許文献１】特開２００５−１７２９５号公報
【発明の概要】
【発明が解決しようとする課題】
【０００６】
しかしながら、従来技術にあっては、第１の溝形状が直線的であり、アームのピンにより所定の周期で針が径方向に沿って移動しつつ、針が回転する構成となっている。したがって、針の指示部の移動軌跡は、ガイドアームの回転中心に対して対称な形状に限定されるため、意匠性に優れた複雑な移動軌跡を描くという点で課題が残されている。また、一般に、針の指示部の移動軌跡を複雑なものとする場合には、表示機構も複雑になる傾向にある。
【０００７】
そこで、本発明は、簡単な構造で指示部の複雑な移動軌跡を描くことができ、意匠性を向上できる表示機構、この表示機構を備えた時計用ムーブメントおよび時計の提供を課題とする。
【課題を解決するための手段】
【０００８】
上記の課題を解決するために、本発明の表示機構は、時間経過を示すために用いられる指示部と、前記時間経過に応じて、前記指示部の移動速度を異ならせかつ、前記指示部を、表示部の中心に対して、接近または離間する方向へ移動させる制御機構と、を備え、前記制御機構は、前記指示部が前記表示部の中心に対して接近する方向へ移動したときに描かれる移動軌跡と、前記指示部が前記表示部の中心に対して離間する方向へ移動したときに描かれる移動軌跡と、が連続するように前記指示部を移動させることを特徴としている。
【０００９】
本発明によれば、指示部の移動速度を異ならせかつ、指示部を表示部の中心に対して接近または離間する方向へ移動させる制御機構を備えているので、簡単な構造で指示部の複雑な移動軌跡を描くことができる。また、制御機構は、指示部が表示部の中心に対して接近する方向へ移動したときに描かれる移動軌跡と、指示部が表示部の中心に対して離間する方向へ移動したときに描かれる移動軌跡と、が連続するように指示部を移動させるので、屈曲した指示部の移動軌跡を描くことができる。これにより、指示部のさらに複雑な移動軌跡を描くことができるので、表示機構の意匠性を向上できる。
【００１０】
また、前記制御機構は、第１軸周りに回転するカム部と、前記カム部の回転方向とは反対方向に回転するカム従節ユニットと、を備え、前記カム従節ユニットは、一端部に前記カム部に接する従節部が形成され、前記カム従節ユニットの回転にともなって回動しながら前記カム部の周りを回転するレバーと、一端部に前記指示部が形成され、他端部が前記カム部の径方向の外側に位置する第２軸周りに回動可能に支持され、前記カム従節ユニットの回転にともなって前記カム部の周りを回転するポインタと、を備え、前記レバーの他端部と前記ポインタの他端部とは、動力伝達部を介して連結されていることを特徴としている。
【００１１】
本発明によれば、制御機構は、第１軸周りに回転するカム部と、カム部の回転方向とは反対方向に回転するカム従節ユニットと、により形成されているので、部品点数の少ない簡単な構造とすることができる。また、カム従節ユニットは、一端部にカム部に接する従節部が形成され、カム従節ユニットの回転にともなって回動しながらカム部の周りを周方向に回転するレバーを備えているので、カム部の外周面の形状を変更することで、レバーの回動量を任意に設定することができる。また、従節部のカム部に対する相対移動速度を変更することで、レバーの回動速度を任意に設定することができる。また、ポインタは、第２軸周りに回動可能に支持されるとともに、レバーの他端部とポインタの他端部とが動力伝達部を介して連結されているので、設定されたレバーの回動量および回動速度に対応して、ポインタが第２軸周りに回動しながら、カム部の周りを周方向に回転することができる。このように、カム部の外周面の形状および従節部のカム部に対する相対移動速度により、ポインタの指示部の移動軌跡を所望に決定できるので、簡単な構造で指示部の複雑な移動軌跡を描くことができ、表示機構の意匠性を向上できる。
【００１２】
また、前記動力伝達部は、前記ポインタの他端部に形成されたポインタ歯車と、前記レバーの他端部に形成されたレバー歯車と、により形成されていることを特徴としている。
【００１３】
本発明によれば、動力伝達部は、ポインタ歯車とレバー歯車と、により形成されているので、互いに噛合するポインタ歯車の歯数とレバー歯車の歯数との比を変更することにより、さらに指示部の複雑な移動軌跡を描くことができ、表示機構の意匠性を向上できる。とりわけ、レバー歯車の歯数の比率をポインタ歯車の歯数の比率よりも大きくすることで、ポインタの回動量を大きくして指示部の回動量を大きくすることができ、レバー歯車の歯数の比率をポインタ歯車の歯数の比率よりも小さくすることで、ポインタの回動量を小さくして指示部の回動量を小さくすることができる。このように、カム部の外周面の形状および従節部のカム部に対する相対移動速度に加えて、ポインタ歯車の歯数とレバー歯車の歯数との比を変更することにより、ポインタの指示部の移動軌跡を所望に決定できるので、簡単な構造で指示部の複雑な移動軌跡を描くことができ、表示機構の意匠性を向上できる。
【００１４】
また、前記カム部は、該カム部の周方向の一方側から他方側に向かって半径が大きくなるように形成されたカム面を備えていることを特徴としている。
【００１５】
本発明によれば、カム部は、周方向の一方側から他方側に向かって半径が大きくなるように形成されたカム面を備えているので、カム面の形状を変更することで、レバーの従節部がカム面に接した状態でカム部の周りを回転するときに、レバーの回動量を調整することができる。したがって、例えばカム面の曲率を変更することにより、曲線状に描かれる指示部の移動軌跡の曲率を容易に変更できるので、所望の移動軌跡を容易に描くことができる。
【００１６】
また、前記カム部は、該カム部の周方向の一方側から他方側に向かって前記第１軸からの前記径方向に沿う距離が大きくなるように形成された溝部を備え、前記レバーの前記従節部は、前記溝部に沿って移動可能な凸部により形成されていることを特徴としている。
【００１７】
本発明によれば、簡単かつ低コストにカム部を形成することができる。また、レバーの従節部は、溝部に沿って移動可能な凸部により形成されているので、溝部内にレバーの凸部を配置するだけで、溝部に沿って従節部が移動できる。したがって、例えば、カム部に従節部が接するように、従節部をカム部に向かって付勢するための付勢部材が不要となるので、表示機構をさらに簡単な構造とし、かつ低コスト化することができる。
【００１８】
また、前記カム部と前記カム従節ユニットとは、前記第１軸周りに互いに反対方向に回転し、前記カム部は、前記カム従節ユニットよりも高速回転することを特徴としている。
【００１９】
本発明によれば、カム部とカム従節ユニットとは、第１軸周りに互いに反対方向に回転し、カム部は、カム従節ユニットよりも高速回転するので、カム従節ユニットが１回転する間に、カム部が複数回転することができる。これにより、レバーの従節部は、カム面と、カム面における第１軸からの半径が最小となる位置と最大となる位置とを結ぶ段差面とを複数回通過できるとともに、カム面および段差面の通過に対応して、第１軸に対して接近または離間する方向に複数回往復移動できる。このとき、レバーは、従節部の往復移動に対応して回動するとともに、動力伝達部を介してポインタが回動する。したがって、指示部は、レバーの従節部がカム面および段差面を通過する回数に対応して、第１軸に対して接近または離間する方向に複数回往復移動するこができる。このように、カム部とカム従節ユニットとの回転速度比に対応して、指示部が第１軸に対して接近または離間する方向に往復移動する回数を変更できるので、簡単な構造で指示部の複雑な移動軌跡を描くことができ、表示機構の意匠性を向上できる。
【００２０】
また、前記カム部の回転速度は、前記カム従節ユニットの回転速度の３倍であることを特徴としている。
【００２１】
本発明によれば、カム部が３回転する間にカム従節ユニットが反対方向に１回転するので、レバーの従節部は、カム従節ユニットが時計回り方向に１回転する際に、カム面における第１軸からの半径が最小となる位置と最大となる位置とを結ぶ段差面を４回通過することができる。したがって、指示部は、第１軸に対して接近または離間する方向に４往復移動しながら回転することができるので、例えば第１軸を中心とする花弁状の複雑な移動軌跡を描くことができる。
【００２２】
また、本発明の時計用ムーブメントは、上述の表示機構を備えたことを特徴としている。
また、本発明の時計は、上述の時計用ムーブメントを備えていることを特徴としている。
本発明によれば、上述した表示機構を備えることにより、簡単な構造で指示部の複雑な移動軌跡を描くことができる、意匠性に優れた時計用ムーブメントおよび時計を得ることができる。
【発明の効果】
【００２３】
本発明によれば、指示部の移動速度を異ならせかつ、指示部を表示部の中心に対して接近または離間する方向へ移動させる制御機構を備えているので、簡単な構造で指示部の複雑な移動軌跡を描くことができる。また、制御機構は、指示部が表示部の中心に対して接近する方向へ移動したときに描かれる移動軌跡と、指示部が表示部の中心に対して離間する方向へ移動したときに描かれる移動軌跡と、が連続するように指示部を移動させるので、屈曲した指示部の移動軌跡を描くことができる。これにより、指示部のさらに複雑な移動軌跡を描くことができるので、表示機構の意匠性を向上できる。
【図面の簡単な説明】
【００２４】
【図１】実施形態に係る時計の外観図である。
【図２】ムーブメントを裏側から見たときの説明図である。
【図３】図２に示すムーブメントの断面図である。
【図４】表示機構の説明図であって０分を表示しているときの説明図である。
【図５】表示機構の説明図であって３分経過したときの説明図である。
【図６】表示機構の説明図であって６分経過したときの説明図である。
【図７】表示機構の説明図であって９分経過したときの説明図である。
【図８】表示機構の説明図であって１２分経過したときの説明図である。
【図９】表示機構の説明図であって１５分を表示したときの説明図である。
【図１０】表示機構の説明図であって１５分経過した直後の説明図である。
【図１１】実施形態の第１変形例に係る表示機構の説明図である。
【図１２】実施形態の第２変形例に係る表示機構の説明図である。
【発明を実施するための形態】
【００２５】
以下に、この発明の実施形態について、図面を用いて説明する。
以下では、まず実施形態に係る機械式の腕時計（請求項の「時計」に相当。）およびこの腕時計に組み込まれたムーブメント（請求項の「時計用ムーブメント」に相当。）について説明したあと、表示機構の詳細について説明する。
【００２６】
（時計）
一般に、時計の駆動部分を含む機械体を「ムーブメント」と称する。このムーブメントに文字板、針を取り付けて、時計ケースの中に入れて完成品にした状態を時計の「コンプリート」と称する。時計の基板を構成する地板の両側のうち、時計ケースのガラスのある方の側、すなわち文字板のある方の側をムーブメントの「裏側」と称する。また、地板の両側のうち、時計ケースのケース裏蓋のある方の側、すなわち文字板と反対の側をムーブメントの「表側」と称する。
【００２７】
図１は、実施形態に係る時計１の外観図である。
図１に示すように、本実施形態の時計１のコンプリートは、図示しないケース裏蓋、およびガラス２からなる時計ケース３内に、ムーブメント１０と、時に関する情報を示す文字板１１と、時を示す時針５と、秒を示す秒針６と、分針の機能を有し分を示す指示部４２を備えたポインタ４１と、を備えている。本実施形態の時計１は、とりわけ分の情報の表示について、意匠性を向上させるための特殊な表示機構４０を備えた機械式の時計１である。なお、図１においては、指示部４２の移動軌跡を二点鎖線で図示している。
【００２８】
地板２０の図示しない巻真案内穴には、巻真８が回転可能に組み込まれている。この巻真８は、例えば、日付の修正や、時刻表示（時および分の表示）を修正する際に用いられる時計部品である。巻真８の一端部には、時計ケース３の側方に位置するりゅうず９が取付けられている。
巻真８は、巻真案内穴によって回転可能に支持されているとともに、巻真８の延在方向に例えば２段階に引き出し操作可能とされている。この際、巻真８は、地板２０の裏側に配置された、おしどり、かんぬきやかんぬきばね等の図示しない切替装置により、延在方向の位置が決められている。
なお、以下の説明では、時針５および秒針６の回転中心を第１軸Ｃ１とし、第１軸Ｃ１の軸方向と直交する方向を径方向といい、第１軸Ｃ１周りに周回する方向を周方向という。また、時計回り方向の上流側を周方向の一方側とし、下流側を周方向の他方側という。また、軸方向から見て、第１軸Ｃ１を通るとともに巻真８に沿う軸をＸ軸とし、図１における右側を＋Ｘ側とし、左側を−Ｘ側とする。また、第１軸Ｃ１を通るとともにＸ方向と直交する軸をＹ軸とし、図１における上側を＋Ｙ側とし、下側を−Ｙ側とする。以下、必要に応じてＸ−Ｙ直交座標系を用いて説明する。
【００２９】
文字板１１は、例えば全体として６角形状に形成されており、文字板１１の主面の各角部には、時および秒の情報を表す目盛１２が設けられている。
文字板１１の主面における目盛１２よりも径方向の内側は、分に関する情報を示す「１５」「３０」「４５」「６０」の数字からなるインデックス１３が表示された表示領域１５（請求項の「表示部」に相当。）となっている。表示領域１５には、インデックス１３に対応して、０分から６０分までの分の情報が表示される。
【００３０】
表示領域１５には、「１５」「３０」「４５」「６０」のインデックス１３が、周方向に沿って時計回りに順に並んでいる。本実施形態においては、軸方向から見たとき、第１軸Ｃ１から所定距離離間した位置において、＋Ｘ軸上に「１５」のインデックス１３が配置されており、以降、「３０」「４５」「６０」の順に、それぞれ第１軸Ｃ１から所定距離離間した位置において、第１軸Ｃ１周りに９０度ピッチとなるように配置されている。
【００３１】
表示領域１５には、時間経過を示すために用いられる指示部４２と、時間経過に応じて、指示部４２の移動速度を異ならせる制御機構５０と、を備えた表示機構４０が設けられている。指示部４２は、制御機構５０により表示領域１５を移動させられて、分に関する情報を示す「１５」「３０」「４５」「６０」の各インデックス１３を指し示すように構成されている。指示部４２および制御機構５０を備えた表示機構４０については、後に詳述する。
文字板１１の表示領域１５には、日付を表す数字を明示させる日窓１１ａが開口している。これにより、時計１は、時刻に加え、日付を確認することが可能とされている。
【００３２】
図２は、図１に示すムーブメント１０を裏側（文字板１１側）から見たときの説明図である。なお、図２では、分かりやすくするために文字板１１を透過して図示している。また、文字板１１に表示された数字、指示部４２の移動軌跡、文字板１１に形成された日窓１１ａ、および日車押さえ２９を二点鎖線にて図示している。また、時針５および秒針６（いずれも図１参照）の図示を省略している。
図３は、図２に示すムーブメント１０の断面図である。なお、図３において、文字板１１の地板２０側の内面を境界として、文字板１１の内面よりも地板２０側は、図２におけるＡ−Ａ１線に沿った断面図となっており、文字板１１の内面よりも地板２０とは反対側は、図２におけるＡ−Ａ２線に沿った断面図となっている。
【００３３】
図２に示すように、ムーブメント１０は、ムーブメント１０の基板を構成する地板２０を有している。この地板２０の表側の面には、てんぷ、がんぎ車、アンクル等を含む図示しない脱進・調速機構と、四番車、三番車、二番車および香箱車を含む図示しない表輪列と、が少なくとも配置されている。
【００３４】
図３に示すように、地板２０の文字板１１側には、分車１７、日の裏車１８および筒車２１を含む裏輪列と、日の裏車１８に噛合する日の裏中間車１９と、日車３０と、第１日回し中間車２４と、第２日回し中間車２５と、日回し車２６と、日送り爪２７と、日ジャンパ２８（図２参照）と、が少なくとも配置されている。また、地板２０の裏側には、日車３０、第１日回し中間車２４、第２日回し中間車２５、日回し車２６、日送り爪２７および日ジャンパ２８（図２参照）を押さえる日車押さえ２９が取付けられている。また、日車押さえ２９の裏側には、文字板１１がガラス２（図１参照）を通じて視認可能に配置されている。
【００３５】
四番車、分車１７および筒車２１は、それぞれ第１軸Ｃ１に対して同軸上に配置されている。このうち分車１７は、香箱車の回転により、二番車および三番車の回転を介して１時間に１回転するように構成されている。この分車１７の筒部１７ａには、制御機構５０を構成するアーム部５８が外嵌固定されている。また、分車１７の筒部１７ａには、ムーブメント１０の裏側から止め座２２が外嵌されている。これにより、アーム部５８の軸方向の抜けを防止している。
【００３６】
また、四番車は、二番車および三番車の回転を介して１分間に１回転するように構成されている。そして、この四番車から第１軸Ｃ１に沿って延設された四番真１６に、秒針６が取り付けられている。
筒車２１は、分車１７および日の裏車１８の回転を介して、１２時間に１回転するように構成されている。筒車２１には、時針５が取り付けられている。
【００３７】
図２に示すように、日車３０は、地板２０に対して回転自在に取付けられており、全体としてリング状をした部材である。日車３０は、開口部の内周縁に沿って複数の内歯３０ａが形成されている。日車３０におけるムーブメント１０の裏側（すなわち文字板１１側）の主面には、１日から３１日までの日付を表す日文字が表示されている。なお、図２においては、日車３０に表示される日文字のうち一部のみを図示している。
【００３８】
図３に示すように、筒車２１の駆動力は、地板２０に対して回転自在に取付けられた第１日回し中間車２４および第２日回し中間車２５の回転を介して、日回し車２６に伝達される。
日回し車２６は、日車３０を１日に１回（午前０時に達した時点で）、日付１日分だけ回転させて日送りする時計部品であり、筒車２１、第１日回し中間車２４および第２日回し中間車２５の回転に基づいて、２４時間で反時計回り方向に１回転するように構成されている。日回し車２６の裏側（文字板１１側）には、日車３０の内歯３０ａに係合可能な日送り爪２７が形成されている。日回し車２６が反時計回り方向に回転運動すると、日送り爪２７が日車３０の内歯３０ａと係合する。これにより、日回し車２６の回転力は、日送り爪２７を介して日車３０の内歯３０ａに伝達される。そして、日回し車２６は、１回転につき日車３０を日付１日分だけ反時計回り方向に回転させる。
【００３９】
日の裏中間車１９には、日車押さえ２９よりも裏側（文字板１１側）に、カム駆動用歯部１９ａが形成されている。カム駆動用歯部１９ａは、カム歯車５６の地板２０側の端部に形成されたカム歯部５６ａと噛合している。これにより、カム歯車５６は、日の裏車１８の駆動力がカム駆動用歯部１９ａを介して伝達されるとともに、回転速度が増速される。本実施形態において、カム歯車５６は、１時間に３回転するように構成される。
【００４０】
図２に示すように、日ジャンパ２８は、日車３０の回転方向の位置を規正する時計部品であって、基端部が地板２０の裏側に固定され、先端部が自由端とされた弾性変形可能な日ジャンパばね部２８ａと、日ジャンパばね部の先端部に設けられた係合部２８ｂと、を備えている。日ジャンパ２８の係合部２８ｂは、日ジャンパばね部２８ａによって日車３０の内歯３０ａ側に向かって付勢されるとともに、日車３０の内歯３０ａに係合可能に形成されている。日ジャンパ２８は、係合部２８ｂが日車３０の内歯３０ａに係合することにより、日車３０の回転を規正している。
【００４１】
（表示機構）
続いて、表示機構４０について詳細に説明する。
表示機構４０は、分に関する情報を示して時間経過を示すために用いられる指示部４２と、時間経過に応じて指示部４２の移動速度を異ならせる制御機構５０とを備えている。また、制御機構５０は、第１軸Ｃ１を中心軸とするカム部５１と、カム部５１の周方向に回転するカム従節ユニット５５と、を備えている。
【００４２】
図３に示すように、カム部５１は、カム歯車５６の筒状部５６ｂに外嵌固定されている。また、カム歯車５６は、パイプ部材５７に外挿されている。そして、カム部５１は、筒車２１の筒部２１ａに対して、カム歯車５６およびパイプ部材５７を介して、筒車２１に対して回転可能に外挿されている。カム部５１は、カム歯車５６とともに、カム歯車５６と同一の１時間に３回転の回転速度で、第１軸Ｃ１を回転中心として反時計回り方向に回転する。
【００４３】
図２に示すように、カム部５１の外周面は、時計回り方向（周方向の一方側から他方側）に向かって、渦巻き状に半径が大きくなるように形成されたカム面５２と、カム面５２における第１軸Ｃ１からの半径が最小となる位置と最大となる位置とを結ぶ段差面５４とにより形成されている。
【００４４】
（カム従節ユニット）
カム従節ユニット５５は、アーム部５８と、レバー６０と、ポインタ４１と、により構成されている。
図３に示すように、アーム部５８は、アーム部本体５８ａが径方向に沿って延在しており、径方向の内側端部が分車１７の筒部１７ａに外嵌固定されている。アーム部５８は、分車１７と同一の１時間に１回転の回転速度で、第１軸Ｃ１を回転中心として時計回り方向に回転する。
【００４５】
アーム部５８の径方向における中間部分よりも外側には、アーム部５８に取り付けられたレバー用軸部材５９を介して、レバー６０が軸支されている。
図２に示すように、レバー６０は、レバー用軸部材５９による軸支部分からカム部５１に向かって、湾曲しながら延出するように形成されている。レバー６０における径方向の内側の一端部には、カム面５２に摺接する鉤状の従節部６１が形成されている。
【００４６】
レバー６０における径方向の外側の他端部には、レバー歯車６２が形成されている。レバー歯車６２は、レバー用軸部材５９を中心とする扇形状に形成されており、外周面には複数の歯部が形成されている。
レバー６０は、ポインタ４１に設けられた戻しばね４６により、ポインタ歯車４３を介して従節部６１が常にカム部５１に向かって所定の付勢力で付勢されている。戻しばね４６は、例えば、ねじりコイルバネが採用される。
【００４７】
アーム部５８の径方向における外側端部には、アーム部５８に取り付けられたポインタ用軸部材４４を介して、ポインタ４１が第２軸Ｃ２周りに回動可能に軸支されている。
ポインタ４１は、ポインタ歯車４３の筒部４３ａから延出するように形成されている。
ポインタ４１の軸支部分とは反対側の一端部には、指示部４２が形成されている。指示部４２は、例えば星形状に形成されている。
ポインタ４１における指示部４２とは反対側であって、ポインタ４１の軸支部分に対応する他端部には、レバー歯車６２と噛合するポインタ歯車４３が形成されている。すなわち、レバー６０とポインタ４１とは、レバー歯車６２とポインタ歯車４３とにより形成された動力伝達部３５により連結されている。
【００４８】
上述のように形成されたカム部５１およびカム従節ユニット５５は、以下のように回転する。すなわち、カム部５１は、１時間に３回転の回転速度で反時計回り方向に回転するとともに、カム従節ユニット５５が１時間に１回転の回転速度で時計回り方向に回転する。そして、カム従節ユニット５５のレバー６０は、従節部６１がカム部５１に付勢された状態で、カム面５２に摺接しながら、アーム部５８とともにカム部５１の周りを時計回り方向に移動する。
【００４９】
このとき、カム部５１は、カム面５２と段差面５４とを備えていることから、レバー６０の従節部６１は、カム面５２を移動するとき第１軸Ｃ１に対して離間する方向へ移動し、段差面５４を通過したとき第１軸Ｃ１に対して接近する方向へ移動する。そして、レバー６０は、カム従節ユニット５５の回転にともなうレバー６０の従節部６１の移動により、回動しながらカム部５１の周りを回転移動する。
【００５０】
また、レバー６０の回動による動力は、レバー歯車６２およびポインタ歯車４３により形成された動力伝達部３５を介して、ポインタ４１に伝達される。これにより、ポインタ４１は、第２軸Ｃ２を中心に回動しながらカム部５１の周りを時計回り方向に回転しつつ、指示部４２により、分に関する情報を示す「１５」「３０」「４５」「６０」の数字からなるインデックス１３を表示している。
【００５１】
ここで、本実施形態におけるレバー６０の回動量および回動速度の変化量は、カム面５２の大きさに依存する。具体的には、カム面５２の径方向の変位量が大きいほど、レバー６０の回動量および速度の変化量を大きくすることができる。
また、ポインタ４１の回動量は、レバー６０の回動量に加えて、ポインタ歯車４３の歯数とレバー歯車６２の歯数との比に依存する。具体的には、レバー歯車６２の歯数の比率をポインタ歯車４３の歯数の比率よりも大きくすることで、ポインタ４１の回動量を大きくして指示部４２の回動量を大きくすることができ、レバー歯車６２の歯数の比率をポインタ歯車４３の歯数の比率よりも小さくすることで、ポインタ４１の回動量を小さくして指示部４２の回動量を小さくすることができる。
【００５２】
（作用）
図４から図１０は、それぞれ表示機構４０の説明図であって、所定時刻を表示しているときの説明図である。なお、図４から図１０において、時針５および秒針６（いずれも図１参照）の図示を省略している。
続いて、本実施形態の表示機構４０の作用について説明する。以下では、表示機構４０を構成する指示部４２が、時刻０分から動作を開始し、時刻１５分を表示した後に動作を終了するまでの作用について、図４から図１０を用いて順を追って説明する。
【００５３】
図４に示すように、指示部４２が０分を表示する初期状態において、カム部５１の段差面５４は、（−Ｘ，−Ｙ）領域の初期位置に配置される。また、カム従節ユニット５５のアーム部５８は、（−Ｘ，＋Ｙ）領域の初期位置に配置される。また、カム従節ユニット５５におけるレバー６０の従節部６１は、（−Ｘ，−Ｙ）領域であって段差面５４に隣接する初期位置において、カム面５２に当接している。
【００５４】
次いで、時間の経過にともなって、カム部５１が第１軸Ｃ１周りに反時計回り方向に回転するとともに、カム従節ユニット５５が第１軸Ｃ１周りに時計回り方向に回転する。このとき、カム部５１は、１時間に３回転の回転速度で反時計回り方向に回転し、カム従節ユニット５５は、１時間に１回転の回転速度で時計回り方向に回転するように構成されている。したがって、カム従節ユニット５５の従節部６１は、カム部５１の周りを時計回り方向に回転し、カム面５２に摺接しながら移動する。
【００５５】
このとき、カム面５２は、時計回り方向（周方向の一方側から他方側）に向かって、漸次半径が大きくなるように形成されている。したがって、従節部６１は、カム面５２に沿って、第１軸Ｃ１に対して離間する方向へ移動しながらカム部５１の周りを移動する。これにより、レバー６０は、カム従節ユニット５５の回転にともなうレバー６０の従節部６１の移動により、レバー用軸部材５９を中心に時計回り方向に回動しながらカム部５１の周りを回転移動する。
また、レバー６０の回動による動力は、レバー歯車６２およびポインタ歯車４３により形成された動力伝達部３５を介して、ポインタ４１に伝達される。これにより、ポインタ４１は、第２軸Ｃ２を中心に反時計回り方向に回動しながらカム部５１の周りを時計回り方向に回転する。したがって、指示部４２は、カム部５１の周りを時計回り方向に回転しつつ、第１軸Ｃ１に対して離間する方向に移動する。
【００５６】
カム部５１およびカム従節ユニット５５は、時の経過にともない上記と同様に動作を継続する。このとき、レバー６０の従節部６１は、カム面５２に摺接しながら移動する。したがって、レバー６０の従節部６１は、時の経過にともない、初期位置よりも径方向の外側に配置される。これにより、レバー６０は、時の経過にともない、レバー用軸部材５９を中心に初期位置よりも時計回り方向に回転移動した状態となる。
また、ポインタ４１の指示部４２は、レバー６０の初期位置からの回転移動にともなって、初期位置よりも径方向の外側に移動される。これにより、ポインタ４１の指示部４２は、移動速度を異ならせつつ、時計回り方向に回転しながら第１軸Ｃ１から離間する方向に移動するので、＋Ｙ方向に湾曲しつつ径方向の外側に移動するように移動軌跡を描くことができる。なお、図５では動作開始から３分経過したときの指示部４２を、図６では動作開始から６分経過したときの指示部４２を、図７では動作開始から９分経過したときの指示部４２を、図８では動作開始から１２分経過したときの指示部４２をそれぞれ表示している。
【００５７】
そして、図９に示すように、動作開始からの経過時間が１５分となったとき、カム部５１は、初期位置から反時計回り方向に２７０°回転して、段差面５４が（−Ｘ，＋Ｙ）領域に移動する。また、カム従節ユニット５５のアーム部５８は、初期位置から時計回り方向に９０°回転し、（＋Ｘ，＋Ｙ）領域に移動する。また、カム従節ユニット５５におけるレバー６０の従節部６１は、カム面５２と段差面５４との境界部分であって、第１軸Ｃ１から径方向の外側に最も離間した位置に配置される。このとき、レバー６０は、レバー用軸部材５９を中心に初期位置よりも時計回り方向に、最大角度で回転移動した状態となっている。そして、ポインタ４１の指示部４２は、レバー６０の回転移動にともなって、第１軸Ｃ１に対して離間する方向に移動されて最も径方向の外側に配置されるので、「１５」のインデックス１３を表示することができる。
【００５８】
次いで、図１０に示すように、動作開始から１５分が経過した時点で、レバー６０の従節部６１は、段差面５４に沿って第１軸Ｃ１に対して接近する方向（すなわち径方向の内側）に向かって移動し、カム面５２最小径部分に配置される。
また、レバー６０は、従節部６１の移動にともない、レバー用軸部材５９を中心に反時計回り方向に回動する。そして、ポインタ４１の指示部４２は、レバー６０の回動にともなって、第１軸Ｃ１に対して接近する方向に移動されて径方向の内側に配置される。このとき、指示部４２が第１軸Ｃ１に対して離間する方向へ移動したときに描かれる移動軌跡と、指示部４２が第１軸Ｃ１に対して接近する方向へ移動したときに描かれる移動軌跡との間であって、「１５」のインデックス１３に対応した位置には、変曲点Ｐ１が形成される。
本実施形態においては、この様にして、指示部４２が表示領域１５の中心に対して接近する方向へ移動したときに描かれる移動軌跡と、指示部４２が表示領域１５の中心に対して離間する方向へ移動したときに描かれる移動軌跡と、が連続するように指示部４２が移動されるようになっている。
ここで、本実施形態における変曲点（例えば変曲点Ｐ１〜Ｐ８等）とは、指示部４２の動きの向きが変わる点を意味する。
【００５９】
そして、カム従節ユニット５５の従節部６１は、再度カム部５１の周りを時計回り方向に回転し、カム面５２に摺接しながら移動する。そして、指示部４２は、カム部５１の周りを時計回り方向に回転しつつ、第１軸Ｃ１に対して離間する方向に再度移動する。これにより、指示部４２が第１軸Ｃ１に対して接近する方向へ移動したときに描かれる移動軌跡と、指示部４２が第１軸Ｃ１に対して離間する方向へ移動したときに描かれる移動軌跡との間であって、「１５」のインデックス１３と「３０」のインデックス１３との間に対応した位置には、変曲点Ｐ２が形成される。
以降、上記動作が繰り返されることにより、指示部４２は、接近又は離間する方向へ移動を繰り返しながら、各インデックス１３に対応した位置および各インデックスの間に対応した位置に変曲点Ｐ１〜Ｐ８を形成するように複雑な移動軌跡を描きつつ、「１５」から「６０」のインデックス１３を繰り返し表示することができる。
【００６０】
本実施形態によれば、指示部４２の移動速度を異ならせかつ、指示部４２を第１軸Ｃ１に対して接近または離間する方向へ移動させる制御機構５０を備えているので、簡単な構造で指示部４２の複雑な移動軌跡を描くことができる。また、制御機構５０は、指示部４２が第１軸Ｃ１に対して接近する方向へ移動したときに描かれる移動軌跡と、指示部４２が第１軸Ｃ１に対して離間する方向へ移動したときに描かれる移動軌跡との間に、変曲点Ｐ１〜Ｐ８が形成されるように指示部４２を移動させるので、屈曲した指示部４２の移動軌跡を描くことができる。これにより、指示部４２のさらに複雑な移動軌跡を描くことができるので、表示機構４０の意匠性を向上できる。
【００６１】
また、制御機構５０は、第１軸Ｃ１周りに回転するカム部５１と、カム部５１の回転方向とは反対方向に回転するカム従節ユニット５５と、により形成されているので、部品点数の少ない簡単な構造とすることができる。また、カム従節ユニット５５は、一端部にカム部５１に接する従節部６１が形成され、カム従節ユニット５５の回転にともなって回動しながらカム部５１の周りを周方向に回転するレバー６０を備えているので、カム部５１の外周面の形状を変更することで、レバー６０の回動量を任意に設定することができる。また、従節部６１のカム部５１に対する相対移動速度を変更することで、レバー６０の回動速度を任意に設定することができる。また、ポインタ４１は、第２軸Ｃ２周りに回動可能に支持されるとともに、レバー６０の他端部とポインタ４１の他端部とが動力伝達部３５を介して連結されているので、設定されたレバー６０の回動量および回動速度に対応して、ポインタ４１が第２軸Ｃ２周りに回動しながら、カム部５１の周りを周方向に回転することができる。このように、カム部５１の外周面の形状および従節部６１のカム部５１に対する相対移動速度により、ポインタ４１の指示部４２の移動軌跡を所望に決定できるので、簡単な構造で指示部４２の複雑な移動軌跡を描くことができ、表示機構４０の意匠性を向上できる。
【００６２】
また、動力伝達部３５は、ポインタ歯車４３とレバー歯車６２とにより形成されているので、互いに噛合するポインタ歯車４３の歯数とレバー歯車６２の歯数との比を変更することにより、さらに指示部４２の複雑な移動軌跡を描くことができ、表示機構４０の意匠性を向上できる。とりわけ、レバー歯車６２の歯数の比率をポインタ歯車４３の歯数の比率よりも大きくすることで、ポインタ４１の回動量を大きくして指示部４２の回動量を大きくすることができ、レバー歯車６２の歯数の比率をポインタ歯車４３の歯数の比率よりも小さくすることで、ポインタ４１の回動量を小さくして指示部４２の回動量を小さくすることができる。このように、カム部５１の外周面の形状および従節部６１のカム部５１に対する相対移動速度に加えて、ポインタ歯車４３の歯数とレバー歯車６２の歯数との比を変更することにより、ポインタ４１の指示部４２の移動軌跡を所望に決定できるので、簡単な構造で指示部４２の複雑な移動軌跡を描くことができ、表示機構４０の意匠性を向上できる。
【００６３】
また、カム部５１は、時計回り方向に向かって半径が大きくなるように形成されたカム面５２を備えているので、カム面５２の形状を変更することで、レバー６０の従節部６１がカム面５２に接した状態でカム部５１の周りを回転するときに、レバー６０の回動量を調整することができる。したがって、例えばカム面５２の曲率を変更することにより、曲線状に描かれる指示部４２の移動軌跡の曲率を容易に変更できるので、所望の移動軌跡を容易に描くことができる。
【００６４】
また、カム部５１とカム従節ユニット５５とは、第１軸Ｃ１周りに互いに反対方向に回転し、カム部５１は、カム従節ユニット５５よりも高速回転するので、カム従節ユニット５５が１回転する間に、カム部５１が複数回転することができる。これにより、レバー６０の従節部６１は、カム面５２と、カム面５２における第１軸Ｃ１からの半径が最小となる位置と最大となる位置とを結ぶ段差面５４とを複数回通過できるとともに、カム面５２および段差面５４の通過に対応して、第１軸Ｃ１に対して接近または離間する方向に複数回往復移動できる。このとき、レバー６０は、従節部６１の往復移動に対応して回動するとともに、動力伝達部３５を介してポインタ４１が回動する。したがって、指示部４２は、レバー６０の従節部６１がカム面５２および段差面５４を通過する回数に対応して、第１軸Ｃ１に対して接近または離間する方向に複数回往復移動するこができる。このように、カム部５１とカム従節ユニット５５との回転速度比に対応して、指示部４２が第１軸Ｃ１に対して接近または離間する方向に往復移動する回数を変更できるので、簡単な構造で指示部４２の複雑な移動軌跡を描くことができ、表示機構４０の意匠性を向上できる。
【００６５】
また、カム部５１が反時計回り方向に３回転する間にカム従節ユニット５５が時計回り方向に１回転する（換言すれば、カム部５１の回転速度がカム従節ユニット５５の回転速度の３倍である）ので、レバー６０の従節部６１は、カム従節ユニット５５が時計回り方向に１回転する際に、カム面５２における第１軸Ｃ１からの半径が最小となる位置と最大となる位置とを結ぶ段差面５４を４回通過することができる。したがって、指示部４２は、第１軸Ｃ１に対して接近または離間する方向に４往復移動しながら回転することができるので、例えば第１軸Ｃ１を中心とする花弁状の複雑な移動軌跡を描くことができる。
【００６６】
また、上述した表示機構４０を備えることにより、簡単な構造で指示部４２の複雑な移動軌跡を描くことができる、意匠性に優れたムーブメント１０および時計１を得ることができる。
【００６７】
（実施形態の第１変形例）
続いて、実施形態の第１変形例に係る表示機構４０について説明する。
図１１は、実施形態の第１変形例に係る表示機構４０の説明図である。
実施形態の表示機構４０は、カム部５１が、カム面５２と段差面５４とを備えており、従節部６１がカム面５２に摺接しながら移動していた（図１参照）。
これに対して、図１１に示すように、実施形態の第１変形例に係る表示機構４０は、カム部１５１がカム溝部１５２と段差溝部１５４とを備えており、従節部１６１がカム溝部１５２および段差溝部１５４に沿って移動する点で、実施形態とは異なっている。なお、以下では、実施形態と同様の構成部分については説明を省略し、異なる部分についてのみ説明する。
【００６８】
カム溝部１５２は、例えば円盤状のディスク部材の主面に、時計回り方向（周方向の一方側から他方側）に向かって、第１軸Ｃ１からの径方向に沿う距離が大きくなるように渦巻き状に形成されている。
また、レバー６０の従節部１６１は、カム溝部１５２に沿って移動可能な凸部１６１ａにより形成されている。凸部１６１ａは、例えばレバー６０における径方向の内側の一端部から、軸方向に沿うようにカム部１５１に向かって突出形成されている。凸部１６１ａをカム溝部１５２内に配置することにより、カム部１５１が１時間に３回転の回転速度で反時計回り方向に回転し、カム従節ユニット５５が１時間に１回転の回転速度で時計回り方向に回転したとき、従節部１６１がカム溝部１５２に沿って移動できる。これにより、ポインタ４１の指示部４２は、実施形態と同様に動作して、インデックス１３を表示することができる。
【００６９】
実施形態の第１変形例によれば、簡単かつ低コストにカム部１５１を形成することができる。また、レバー６０の従節部６１は、カム溝部１５２および段差溝部１５４に沿って移動可能な凸部１６１ａにより形成されているので、カム溝部１５２および段差溝部１５４のいずれかにレバー６０の凸部１６１ａを配置するだけで、カム溝部１５２および段差溝部１５４に沿って従節部１６１が移動できる。したがって、例えば、カム部１５１に従節部１６１が接するように、従節部１６１をカム部１５１に向かって付勢するための付勢部材が不要となるので、表示機構４０をさらに簡単な構造とし、かつ低コスト化することができる。
【００７０】
（実施形態の第２変形例）
続いて、実施形態の第２変形例に係る表示機構４０について説明する。
図１２は、実施形態の第２変形例に係る表示機構４０の説明図である。
実施形態の表示機構４０は、カム部５１の外周面が、渦巻き状に半径が大きくなるように形成されたカム面５２と、第１軸Ｃ１からの半径が最小となる位置と最大となる位置とを結ぶ段差面５４とにより形成されていた（図１参照）。
これに対して、実施形態の第２変形例に係る表示機構４０は、図１２に示すように、カム部２５１の外周面が、凸曲面状の２つの副カム面２５３ａ，２５３ｂを備えたカム面２５２により形成されている点で、実施形態とは異なっている。なお、以下では、実施形態と同様の構成部分については説明を省略し、異なる部分についてのみ説明する。
【００７１】
カム部２５１のカム面２５２は、凸曲面状の２つの副カム面２５３ａ，２５３ｂにより、軸方向から見てハート形状に形成されている。２つの副カム面２５３ａ，２５３ｂの境界部分のうち、一方の境界部分は、第１軸Ｃ１からの離間距離が最も小さい最内部２５４ａとなっており、他方の境界部分は、第１軸Ｃ１からの離間距離が最も大きい最外部２５４ｂとなっている。
図１２においては、（−Ｘ，＋Ｙ）領域に最内部２５４ａが配置され、（＋Ｘ，−Ｙ）領域に最外部２５４ｂが配置された状態となっている。また、レバー６０の従節部６１は、カム面２５２の最内部２５４ａ上に位置しており、第１軸Ｃ１から径方向の外側に最も接近した位置に配置される。このとき、ポインタ４１の指示部４２は、「６０」と「１５」とのインデックス１３間の位置であって変曲点Ｐ８に対応した位置に配置されている。なお、変曲点Ｐ８は、時刻７分３０秒（すなわち、「６０」のインデックス１３の位置から、指示部４２が移動し始めた後の経過時間が７分３０秒）に対応する位置となっている。
【００７２】
表示領域１５には、「５」から「６０」まで５分毎に表示されたインデックス１３が、ポインタ４１の指示部４２の移動軌跡近傍において、時計回り方向に順に並んでいる。本実施形態においては、実施形態と同様に「１５」「３０」「４５」「６０」のインデックス１３が９０°ピッチで配置されるとともに、「６０」と「１５」とのインデックス１３の間であって（＋Ｘ，＋Ｙ）領域に「５」および「１０」のインデックス１３が表示され、「１５」と「３０」とのインデックス１３の間であって（＋Ｘ，−Ｙ）領域に「２０」および「２５」のインデックス１３が表示され、「３０」と「４５」とのインデックス１３の間であって（−Ｘ，−Ｙ）領域に「３５」および「４０」のインデックス１３が表示され、「４５」と「６０」とのインデックス１３の間であって（−Ｘ，＋Ｙ）領域に「５０」および「５５」のインデックス１３が表示されている。
【００７３】
（実施形態の第２変形例に係る表示機構の作用）
続いて、本実施形態の第２変形例に係る表示機構４０の作用について説明する。以下では、表示機構４０を構成する指示部４２が、時刻７分３０秒（すなわち、「６０」のインデックス１３の位置から、指示部４２が移動し始めた後の経過時間が７分３０秒）を示す変曲点Ｐ８の位置から動作を開始し、時刻１５分を示す変曲点Ｐ１を経由して時刻２２分３０秒を示す変曲点Ｐ２の位置に到達するまでの、１５分間における指示部４２の動作について順を追って説明する。なお、以下では、変曲点Ｐ８の位置を「初期位置」ということがある。
【００７４】
指示部４２が時刻７分３０秒を示す初期状態において、カム部２５１の最内部２５４ａは、（−Ｘ，＋Ｙ）領域の初期位置に配置される。また、カム従節ユニット５５のアーム部５８は、ほぼＸ軸線上の初期位置に配置される。また、カム従節ユニット５５におけるレバー６０の従節部６１は、（−Ｘ，＋Ｙ）領域であって、カム面２５２の最内部２５４ａに当接している。
【００７５】
時間の経過にともなって、カム部２５１およびカム従節ユニット５５が第１軸Ｃ１周りに回転する。このとき、カム部２５１は、１時間に３回転の回転速度で反時計回り方向に回転し、カム従節ユニット５５は、１時間に１回転の回転速度で時計回り方向に回転するように構成されている。したがって、カム従節ユニット５５の従節部６１は、第１の副カム面２５３ａに摺接しつつ最外部２５４ｂに向かって移動する。
【００７６】
ここで、第１の副カム面２５３ａは、最内部２５４ａから最外部２５４ｂに向かって、第１軸Ｃ１との離間距離が漸次大きくなるように形成されている。したがって、従節部６１は、第１の副カム面２５３ａに沿って、第１軸Ｃ１に対して漸次離間する方向に移動しながらカム部２５１の周りを回転する。これにより、レバー６０は、カム従節ユニット５５の回転にともなうレバー６０の従節部６１の移動により、回動しながらカム部２５１の周りを回転移動する。このとき、指示部４２は、第１軸Ｃ１から漸次離間する方向（すなわち径方向の外側）に移動する。
また、レバー６０の回動による動力は、レバー歯車６２およびポインタ歯車４３により形成された動力伝達部３５を介して、ポインタ４１に伝達される。これにより、ポインタ４１は、第２軸Ｃ２を中心に回動しながらカム部２５１の周りを時計回り方向に回転する。そして、ポインタ４１の指示部４２は、「１０」のインデックス１３を通過し、「１５」のインデックス１３に向かって曲線状の軌跡を描くように移動する。
【００７７】
そして、動作開始からの経過時間が７分３０秒（すなわち、「６０」のインデックス１３の位置から、指示部４２が移動し始めた後の経過時間が１５分）となったとき、カム部２５１は、図１２に示す初期位置から反時計回り方向に１３５°回転して、最外部２５４ｂが（−Ｘ，＋Ｙ）領域に移動する。また、カム従節ユニット５５のアーム部５８は、初期位置から時計回り方向に４５°回転し、（＋Ｘ，＋Ｙ）領域に移動する。また、カム従節ユニット５５におけるレバー６０の従節部６１は、最外部２５４ｂに当接する。このとき、カム部２５１とカム従節ユニット５５とは、初期位置から相対的に１８０°回転する。したがって、レバー６０の従節部６１は、初期位置である最内部２５４ａから相対的に１８０°回転移動し、第１軸Ｃ１から径方向の外側に最も離間した最外部２５４ｂに配置される。これにより、指示部４２は、レバー６０の回転移動にともなって、第１軸Ｃ１に対して離間する方向（すなわち径方向の外側）に移動されて、最も径方向の外側に位置したときに「１５」のインデックス１３を表示する。
【００７８】
動作開始からの時間が７分３０秒（すなわち、「６０」のインデックス１３の位置から、指示部４２が移動し始めた後の時間が１５分）経過すると、カム面２５２の最外部２５４ｂを通過して、第１の副カム面２５３ａから第２の副カム面２５３ｂに移動する。これにより、「１５」のインデックス１３に対応した位置には、変曲点Ｐ１が形成される。
さらに、時間の経過にともなって、カム従節ユニット５５の従節部６１は、カム部２５１の周方向に相対的に回転し、第２の副カム面２５３ｂに摺接しつつ最内部２５４ａに向かって移動する。このとき、指示部４２は、時の経過にともない、時計回り方向に回転しながら第１軸Ｃ１に接近する方向（すなわち径方向の内側）に移動しつつ、「２０」のインデックス１３を表示する。
【００７９】
そして、初期位置である変曲点Ｐ８から動作を開始し、経過時間が１５分（すなわち、「６０」のインデックス１３の位置から、指示部４２が移動し始めた後の経過時間が２２分３０秒）となったとき、カム部２５１が初期位置から反時計回り方向に２７０°回転するとともに、カム従節ユニット５５が初期位置から時計回り方向に９０°回転して、レバー６０の従節部６１が、再度カム面２５２の最内部２５４ａに当接する。なお、このとき、カム部２５１とカム従節ユニット５５とは、初期位置から相対的に３６０°回転している。これにより、ポインタ４１の指示部４２は、レバー６０の回転移動にともなって、第１軸Ｃ１に対して接近する方向（すなわち径方向の内側）に移動されて、最も径方向の内側の変曲点Ｐ２に対応する位置に配置される。
以降、上記動作が繰り返されることにより、指示部４２は、花弁状の複雑な移動軌跡を描いて変曲点Ｐ１〜Ｐ８を形成しつつ、第１軸Ｃ１周りを時計回り方向に回転して各インデックス１３を表示することができる。
【００８０】
なお、この発明の技術範囲は上記の実施形態に限られるものではなく、本発明の趣旨を逸脱しない範囲において種々の変更を加えることが可能である。
【００８１】
実施形態および実施形態の各変形例の表示機構４０は、カム部５１，１５１，２５１が１時間に３回転の回転速度で反時計回り方向に回転するとともに、カム従節ユニット５５が１時間に１回転の回転速度で時計回り方向に回転するように構成されていたが、カム部５１およびカム従節ユニット５５の回転速度は、これに限定されない。例えば、カム部５１，１５１，２５１が１２時間に５回転の回転速度で時計回り方向に回転するとともに、カム従節ユニット５５が１２時間に１回転の回転速度で時計回り方向に回転するように構成されていてもよい。この場合、指示部４２は、第１軸Ｃ１周りに一回転する間に、第１軸Ｃ１に対して接近又は離間する方向へ６往復移動することができるので、例えば指示部４２を時針として採用するのに好適である。このように、カム部５１，１５１，２５１およびカム従節ユニット５５の回転速度を種々変更することにより、指示部４２の移動軌跡を所望の形状とすることができる。
【００８２】
実施形態の表示機構４０は、時計回り方向に漸次直径が大きくなるカム面５２としていたが、凹曲面状または凸曲面状に形成された複数の副カム面を周方向に連設し、凹凸が形成されたカム面５２としてもよい。この場合、指示部４２は、各変曲点Ｐ１〜Ｐ８間において、揺動するように軌跡を描きながら移動することができる。このように、カム面５２の形状を種々変更することにより、指示部４２の移動軌跡を所望の形状とすることができる。
【００８３】
実施形態および実施形態の各変形例の表示機構４０は、レバー歯車６２とポインタ歯車４３とにより、レバー６０の動力をポインタ４１に伝達する動力伝達部３５が形成されていたが、動力伝達部３５の形態は、実施形態および実施形態の各変形例に限定されない。例えば、ベルトとプーリーとによりレバー６０とポインタ４１とを連結することにより、動力伝達部３５が形成されていてもよい。
【００８４】
実施形態および実施形態の各変形例の表示機構４０は、指示部４２が星形状に形成されてインデックス１３の各数字を表示していたが、指示部４２の形状は実施形態および実施形態の各変形例に限定されることはなく、種々の形状に変更が可能である。したがって、例えば、指示部４２の形状を針状としてもよいし、指示部４２の形状をリング状としてもよい。
【００８５】
実施形態および実施形態の各変形例の表示機構４０は、第１軸Ｃ１を共通の回転中心軸として、カム部５１，１５１，２５１およびカム従節ユニット５５が回転していたが、カム部５１，１５１，２５１の回転中心軸とカム従節ユニット５５の回転中心軸とが同軸でなくてもよい。
【００８６】
文字板１１上のインデックス１３の表示の形態は、実施形態および実施形態の各変形例に限定されることは無く、種々変更が可能である。
また、実施形態および実施形態の各変形例の表示機構４０は、ポインタ４１が分針の機能を有しており、指示部４２が分を示していた。これに対して、ポインタ４１が秒針の機能を有しており、指示部４２が秒を示してもよいし、ポインタ４１が時針の機能を有しており、指示部４２が時を示してもよいし、ポインタ４１が曜針の機能を有しており、指示部４２が曜を示してもよい。すなわち、表示機構４０は、分の情報を表示する態様に限定されない。
【００８７】
その他、本発明の趣旨を逸脱しない範囲で、上記した実施の形態における構成要素を周知の構成要素に置き換えることは適宜可能である。
【符号の説明】
【００８８】
１・・・時計  １０・・・ムーブメント（時計用ムーブメント）  １５・・・表示領域（表示部）  ３５・・・動力伝達部  ４０・・・表示機構  ４１・・・ポインタ  ４２・・・指示部  ４３・・・ポインタ歯車  ５０・・・制御機構  ５１，１５１，２５１・・・カム部  ５２，２５２・・・カム面  ５５・・・カム従節ユニット  ６０・・・レバー  ６１，１６１・・・従節部  ６２・・・レバー歯車  １５２・・・カム溝部（溝部）  １６１ａ・・・凸部  Ｃ１・・・第１軸  Ｃ２・・・第２軸  Ｐ１〜Ｐ８・・・変曲点
【図１】
2015007540.tif 000003
【図２】
2015007540.tif 000004
【図３】
2015007540.tif 000005
【図４】
2015007540.tif 000006
【図５】
2015007540.tif 000007
【図６】
2015007540.tif 000008
【図７】
2015007540.tif 000009
【図８】
2015007540.tif 000010
【図９】
2015007540.tif 000011
【図１０】
2015007540.tif 000012
【図１１】
2015007540.tif 000013
【図１２】
2015007540.tif 000014